(57)【要約】【課題】患者の身体の各部位に適したマッサージ効果を与えられ、大きな設置スペースを必要としないウォータベッド式マッサージ機を提供することを目的とする。【解決手段】液体が充填されると共に患者を全身にわたって支持する単数のマットレス７と、マットレス７の内部で上部を回転させながら上方向に液体Ｌを噴出する複数の噴出ノズル８ａ，８ｂと、噴出ノズル８ａ，８ｂに液体Ｌを供給する循環ポンプ１０と、を備える。そして、噴流液圧及び回転数が相違する２種類以上の複数の噴出ノズル８ａ，８ｂが、マットレス７の下壁部１４に付設されている。【選択図】  図１
2004290613.tif 000002
【特許請求の範囲】
【請求項１】
液体が充填されると共に患者を全身にわたって支持する単数のマットレス（７）と、該マットレス（７）の内部で上部を回転させながら上方向に液体（Ｌ）を噴出する複数の噴出ノズル（８）と、該噴出ノズル（８）に上記液体（Ｌ）を供給する循環ポンプ（１０）と、を備えたことを特徴とするウォータベッド式マッサージ機。
【請求項２】
噴出液圧及び回転数が相違する２種類以上の複数の上記噴出ノズル（８）が、上記マットレス（７）の下壁部（１４）に付設されている請求項１記載のウォータベッド式マッサージ機。
【請求項３】
回転数が小さい第１噴出ノズル（８ａ）と、回転数が大きい第２噴出ノズル（８ｂ）と、をもって２種類以上の噴出ノズル（８）を構成し、
該第１噴出ノズル（８ａ）は、鉛直軸心（４５）廻りに回転すると共に水平左右方向へ延伸した横杆状ノズルヘッド（３９）を有し、
さらに、上記第２噴出ノズル（８ｂ）は、鉛直軸心（４５）廻りに回転する小円盤部（３６）と、該小円盤部（３６）の外周面に突設した上方向液体流を生じさせる羽根（４３）と、を有する請求項２記載のウォータベッド式マッサージ機。
【請求項４】
複数の上記噴出ノズル（８）の夫々に、個別にＯＮ−ＯＦＦ切換する切換弁（２６）を付設した請求項１，２又は３記載のウォータベッド式マッサージ機。
【請求項５】
患者のマッサージ部に対応して複数の上記噴出ノズル（８）を配設し、かつ回転数が小さい第１噴出ノズル（８ａ）と、回転数が大きい第２噴出ノズル（８ｂ）と、をもって２種類以上の噴出ノズル（８）を構成し、
さらに、上記第１噴出ノズル（８ａ）を、患者の肩部及び背中部に対応して配設した請求項２，３又は４記載のウォータベッド式マッサージ機。
【請求項６】
上記マットレス（７）の上壁部（１３）の厚さ（ｔ７  ）を  ０．１ｍｍ乃至  １．２ｍｍに設定すると共に、
縦方向に伸縮しないネット状シーツ（３）を、患者の臀部付近に位置する上記上壁部（１３）上に敷設した請求項１，２，３，４又は５記載のウォータベッド式マッサージ機。
【請求項７】
上記マットレス（７）の内部高さ（Ｈ７  ）を  １００ｍｍ乃至  １５０ｍｍに設定した請求項１，２，３，４，５又は６記載のウォータベッド式マッサージ機。
【請求項８】
上記複数の噴出ノズル（８）の内の少なくとも１個を、患者の首部に対応して配設した請求項１，２，３，４，５，６又は７記載のウォータベッド式マッサージ機。
【請求項９】
全ての噴出ノズル（８）に上記液体（Ｌ）を供給する共通の循環ポンプ（１０）が備えられた請求項１，２，３，４，５，６又は７記載のウォータベッド式マッサージ機。
【発明の詳細な説明】
【０００１】
【発明の属する技術分野】
本発明は、ウォータベッド式マッサージ機に関する。
【０００２】
【従来の技術】
従来のウォータベッド式マッサージ機は、本体ハウジング内に装備されたノズルから上方の膜部材に向けて噴射液体が噴射されて、膜部材上の患者に対してマッサージ効果を与える（例えば、特許文献１参照）。
【０００３】
【特許文献１】
特開２０００−３２５４２０公報
【０００４】
【発明が解決しようとする課題】
このマッサージ機は、膜部材とノズルの距離が離れているため、ノズルから噴射される噴出液体の圧力損失が大きく、しかも、膜部材の厚みが大きいため、エネルギ伝達の損失が大きく、患者に与えられるマッサージ効果が減少する。このため、液体供給用のポンプの性能を大きくする必要がある。また、本体ハウジングが大きい（高い）ため、設置場所には大きなスペースを必要とする。さらに、ノズルを移動させながら患者の身体全身にマッサージ効果を与えているので、身体のマッサージを要する部位のみに、迅速に対応して、マッサージ効果を与えることが難しい。
【０００５】
そこで本発明は、患者の身体の各部位に適したマッサージ効果を与えられ、大きな設置スペースを必要としないウォータベッド式マッサージ機を提供することを目的とする。
【０００６】
【課題を解決するための手段】
上述の目的を達成するために、本発明に係るウォータベッド式マッサージ機は、液体が充填されると共に患者を全身にわたって支持する単数のマットレスと、該マットレスの内部で上部を回転させながら上方向に液体を噴出する複数の噴出ノズルと、該噴出ノズルに上記液体を供給する循環ポンプと、を備えている。
また、噴出液圧及び回転数が相違する２種類以上の複数の上記噴出ノズルが、上記マットレスの下壁部に付設されている。
【０００７】
また、回転数が小さい第１噴出ノズルと、回転数が大きい第２噴出ノズルと、をもって２種類以上の噴出ノズルを構成し；該第１噴出ノズルは、鉛直軸心廻りに回転すると共に水平左右方向へ延伸した横杆状ノズルヘッドを有し；さらに、上記第２噴出ノズルは、鉛直軸心廻りに回転する小円盤部と、該小円盤部の外周面に突設した上方向液体流を生じさせる羽根と、を有する。
【０００８】
また、複数の上記噴出ノズルの夫々に、個別にＯＮ−ＯＦＦ切換する切換弁を付設している。
また、患者のマッサージ部に対応して複数の上記噴出ノズルを配設し、かつ回転数が小さい第１噴出ノズルと、回転数が大きい第２噴出ノズルと、をもって２種類以上の噴出ノズルを構成し；さらに、上記第１噴出ノズルを、患者の肩部及び背中部に対応して配設している。
【０００９】
また、上記マットレスの上壁部の厚さを  ０．１ｍｍ乃至  １．２ｍｍに設定すると共に；縦方向に伸縮しないネット状シーツを、患者の臀部付近に位置する上記上壁部上に敷設している。
さらに、上記マットレスの内部高さを  １００ｍｍ乃至  １５０ｍｍに設定している。
さらに、上記複数の噴出ノズルの内の少なくとも１個を、患者の首部に対応して配設している。
さらに、全ての噴出ノズルに上記液体を供給する共通の循環ポンプが備えられている。
【００１０】
【発明の実施の形態】
以下、実施の形態を示す図面に基づき、本発明を詳説する。
【００１１】
図１，図２及び図３に示すように、ウォータベッド５は、液体が充填されると共に患者を全身にわたって支持する単数のマットレス７と、マットレス７を収納状に保持する浅い凹状のマットレス受け６と、マットレス受け６を上部に保持するベッド枠体１と、を備える。マットレス７は、平均身長の（１７０ｃｍ  程度の）大人の患者の全身が十分に納まる広さの上面を有する略直方体形状である。
【００１２】
ベッド枠体１は、長方形平板状の底板２と、底板２の４辺に包囲状に付設される下枠体１ｂと、マットレス受け６の下方と底板２の上部に中空室２８を構成するようにマットレス受け６を保持する上枠体１ａと、上枠体１ａと下枠体１ｂを縦方向に連結する縦枠体１ｃと、を有し、底板２上に、循環ポンプ１０が設置される。ベッド枠体１の下部４隅には、ウォータベッド５を移動可能にするキャスタ１６…が付設され、ベッド枠体１の前後左右の外周には、外部からの衝撃を吸収する樹脂製等のカバー１５が配設される。
【００１３】
上部を回転させながら上方向に液体Ｌを螺旋状に噴出する複数の噴出ノズル８…は、マットレス受け６の底面の貫孔に対応して配設されると共に、噴出ノズル８…は、マットレス７の下壁部１４に付設される。噴出ノズル８…は、回転数が小さい第１噴出ノズル８ａと、回転数が大きい第２噴出ノズル８ｂとから成る。中空室２８に於て、電気的なＯＮ−ＯＦＦ切換により開閉する切換弁２６が、夫々の噴出ノズル８の下部に接続され、循環ポンプ１０から液体Ｌを流出する複数の流出口を有する液流分配継手１２が循環ポンプ１０に付設されており、切換弁２６と液流分配継手１２とは複数本の配管１８…にて連結され、循環ポンプ１０は、１台で全ての噴出ノズル８…に共通して液体Ｌを供給する。切換弁２６は、市販の電動式ボール弁等から成り、コードによりコントローラに接続される。また、マットレス７の下壁部１４には、マットレス７内の液体を循環ポンプ１０へ還流させる還流取水口３１が、各噴出ノズル８を、噴出液圧を降下させない程度の間隔を空けて固着されており、循環ポンプ１０の上方部と配管にて連結されている。
【００１４】
患者４の臀部付近に位置するマットレス７の上壁部１３上には、縦方向に伸縮しない薄いネット状シーツ３が敷設される。図４の要部拡大断面側面図に示されるように、マットレス７の上壁部１３の厚さｔ７  を、  ０．１ｍｍ乃至  １．２ｍｍに設定する。ネット状シーツ３の厚さは、マッサージ刺激が伝達されやすい薄いものとする。あるいは、患者の臀部付近に位置するマットレス７の上壁部１３が、縦方向に伸縮しない材質で製作されているもよい。また、マットレス７の内部高さＨ７  を、  １００ｍｍ乃至  １５０ｍｍに設定する。
【００１５】
また、中空室２８には、マットレス７内の液体の温度を調節するための温度調節器１９が配設され、図５に示されるように、温度調節器１９に付設される接続部１７，１７と、循環ポンプ１０に付設される分流出入口１１，１１とが、配管２７，２７で連結される。
【００１６】
図６は噴出ノズル８…と患者４の配置関係を示す説明用の平面図であり、各噴出ノズル８を、患者の身体のツボの各部位に対応して配設している。即ち、低周波のマッサージ効果を与える第１噴出ノズル８ａが、患者の肩部に２箇所及び背中部に１箇所対応して、合計３箇所配設されている。また、高周波のマッサージ効果を与える第２噴出ノズル８ｂが、患者の首部に１箇所，腰臀部に２箇所，大腿部に２箇所及び下肢部に２箇所対応して、合計７箇所配設されている。また、循環ポンプ１０の（図示省略の）回転数コントローラが、ウォータベッド５に配設される。
【００１７】
図７，図８，図９に於て、回転数が小さい第１噴出ノズル８ａは、鉛直軸心４５廻りに回転すると共に水平左右方向へ延伸した横杆状ノズルヘッド３９と、ノズルヘッド３９の下面と当接し孔部４２を有する円筒状軸受４０と、円筒状軸受４０が挿嵌され外周に水平鍔部２０を有する円筒状固着具２４と、マットレス受け６の貫孔に配設されるナット２５と、を有し、マットレス７の下壁部１４に設けられた孔部の周辺部とパッキン９とが、ナット２５と固着具２４の水平鍔部２０とで挟着されている。Ｈ８  は、下壁部１４からノズルヘッド３９の上面までのノズル高さである。また、円筒状固着具２４の下部には、液体流路を有し分岐配管１８に挿嵌されるユニオン継手３２が付設されている。
【００１８】
ノズルヘッド３９上面には、水平面から傾斜角度α（３０°≦α≦８０°）の上方へ液体Ｌを噴出させる噴出孔２３が、鉛直軸心４５と距離Ｒの離れた位置に設けられている。そして、噴出孔２３を一端側５１に有し円筒形状の導水管２９が、ノズルヘッド３９の下面で鉛直軸心４５を通るようにノズルヘッド３９内部にＳ字状に弯曲して内設される。そして、導水管２９の他端側２１は、ノズルヘッド３９の下面から鉛直軸心４５を軸心として下方へ突設され、円筒状軸受４０の孔部４２に鉛直軸心４５廻りに回転可能に挿嵌される。そして、この他端側２１には、抜け止め防止用座金３０が付設され、円筒状軸受４０の下端面４１に摺接する。
【００１９】
図１０，図１１，図１２に於て、回転数が大きい上記第２噴出ノズル８ｂは、短円柱形状の小円盤部３６と、小円盤部３６の外周面に突設した上方向液体流５０を生じさせる羽根４３と、小円盤部３６の下面に突設されて流路４９を有する円筒状回転軸４４と、回転軸４４を回動可能に保持するベアリング３７を内周面に有し外周に水平鍔部４７を有する円筒状固着具４６と、マットレス受け６の貫孔に配設されるナット２５と、を有し、マットレス７の下壁部１４に設けられた孔部の周辺部とパッキン９とが、ナット２５と固着具４６の水平鍔部４７とで挟着されている。また、ベアリング３７は、止め輪５２にて円筒状固着具４６内に保持されており、止め輪５２を取り外すことで、小円盤部３６，ベアリング３７を用途や機種に対応して取り替え可能である。羽根４３は、平板形状で、回転方向に対して下辺が前方になるよう傾斜状に突設される。Ｈ８  は、下壁部１４から小円盤部３６の上面までのノズル高さである。また、固着具４６の下部には、液体流路を有し分岐配管１８に挿嵌されるユニオン継手３２が付設されている。
【００２０】
小円盤部３６の上面には、水平面から傾斜角度α（３０°≦α≦７０°）上方へ液体Ｌを噴出させる噴出孔２３が、鉛直軸心４５と距離Ｒの離れた位置に設けられている。そして、回転軸４４には、鉛直軸心４５と偏心距離ｅの偏心をした中心を有する偏心流路孔４８が、流路４９の上方に形成されており、小円盤部３６の内部には、流路３３が、偏心流路孔４８と噴出孔２３との間に形成されている。ここで、羽根４３は、（図示されるように、）鉛直軸心４５に対して噴出孔２３と点対称の位置に付設される。
【００２１】
図１〜図３のように、患者４は、上述のようなウォータベッド５のマットレス７上に横たわり、循環ポンプ１０を作動させると、液体Ｌが、複数の分岐配管１８を通って噴出ノズル８へ流れ、噴出ノズル８は、矢印３５のように上部を回転させながらマットレス７内で液体Ｌを噴出する。そして、この噴出液流が、マットレス７内の上壁部１３の下方に噴出液圧刺激を与え、（図６のように）患者４の身体の各部位は、夫々相違するマッサージ（刺激）効果を受ける。患者４の肩部及び背中部に対応する第１噴出ノズル８ａの噴出液流は、その他の患者の首部，腰臀部，大腿部及び下肢部の左右両側に対応する第２噴出ノズル８ｂの噴出液流に比べ、低速回転に伴う低周波のマッサージ効果を与える。上述の配置に限定されず、低周波のマッサージ効果を与える第１噴出ノズル８ａを、患者の首部，腰臀部，大腿部，下肢部の左右両側に対応して配設してもよい。
【００２２】
患者４は、受けるマッサージ効果の強弱を変えるため、（図示省略の）コントローラで、循環ポンプ１０の回転数を増減させて流量を調節する。また、医者，看護士，付添人（又は患者４自身）は、（図示省略の）コントローラから、切換弁２６へ制御信号を送り、電気的にＯＮ−ＯＦＦ切換で開閉して、身体の各部位へ噴出する噴出ノズル８を個別の調節を行う。また、循環ポンプ１０は、配管２７を通して、温度調節器１９で温度調節された液体を循環し、マットレス７内の液体は、常時適温に保たれる。
【００２３】
図７〜図９の第１噴出ノズル８ａに於て、噴出力Ｆの液体Ｌが、配管１８からユニオン継手３２，固着具２４，導水管２９を通り、噴出孔２３から噴出する。そして、液体Ｌの径方向の分力Ｆ１  により、ノズルヘッド３９は、矢印３５のように回転する。この回転モーメント（回転力の大きさ）は、分力Ｆ１  と距離Ｒとの積である。また、液体Ｌの鉛直方向の分力Ｆ２  が、マットレス７の上壁部１３に下方から当たる押上力（マッサージ圧力）である。噴出孔２３の傾斜角度αや噴出孔２３と鉛直軸心４５との距離Ｒを変えることで、種々の分力Ｆ１  及び分力Ｆ２  の大きさを得られる。
【００２４】
図１０〜図１２の第２噴出ノズル８ｂに於て、液体Ｌが、配管１８からユニオン継手３２，固着具４６，回転軸４４の流路４９を通り、小円盤部３６の噴出孔２３から噴出する。そして。液体Ｌの噴出力Ｆの接線方向（周方向）の分力Ｆ１０により、小円盤部３６は矢印３５のように回転する。この回転モーメント（回転力の大きさ）は、分力Ｆ１０と距離Ｒとの積である。回転によって羽根４３から生じる上方向液体流５０は、マットレス７の上壁部１３に下方から当たる噴出力刺激の盛り上がりを増幅させる。噴出孔２３の（流入側）偏心距離ｅ，傾斜角度αそして噴出孔２３と鉛直軸心４５との距離Ｒを変えることで、種々の分力Ｆ１０及び分力Ｆ２０の大きさを得られる。
【００２５】
上述のように、患者４は、ウォータベッド５のマットレス７上に横たわるだけでマッサージ効果を受けることができる。マットレス７は、患者４を全身にわたって支持する一体物なので、液体を循環させる循環ポンプ１０は１台設置されるだけでよく、さらに、この１台の循環ポンプ１０から全ての噴出ノズル８に液体Ｌを供給することができるので、循環ポンプ１０や配管を配設する中空室２８を小さくでき、ウォータベッド５の大きさ（高さ）を抑えることができる。また、患者４の体重心部に近い臀部付近に位置するマットレス７の上壁部１３上には、縦方向に伸縮しないネット状シーツ３が敷設されているので、マットレス７は、（上述のように）上半身部と下半身部とが一体物であるが沈み込むことがなく、内部高さＨ７  が略均一に保たれ、患者４は、全身にわたって均等に、かつ効率よくマッサージを得ることができる。このネット状シーツ３を、臀部以外にも、荷重のある患者４の頭部，背中部，かかと部等に位置するマットレス７の上壁部１３上にも敷設するのもよく、内部高さＨ７  は一層均一に保たれる。
【００２６】
患者４にマッサージ効果を与える噴出ノズル８は、２種類以上あり、夫々の噴出液圧及び回転数が相違するるので、患者４は、身体の各部位に適したマッサージ効果を受けることができる。また、医者，看護士，付添人（あるいは患者４自身）は、各噴出ノズル８をＯＮ−ＯＦＦ切換することで、患部の各部位のマッサージを個別に調節でき、身体の各部位に適した大きさのマッサージ効果を、楽にかつ効率よく受けることができる。このＯＮ−ＯＦＦ切換用の弁は、市販のボール弁等でよいので、性能面で安心できメンテナンスも容易であり、コストも抑えられる。さらに、（図示省略の）コントローラで、循環ポンプ１０の回転（流量）を調節すれば、受けるマッサージの強弱を変えることができる。
【００２７】
第１噴出ノズル８ａのノズルヘッド３９は、回転すると液体の抵抗を大きく受ける横杆状で、低い回転数で回転させることができ、マットレス７の上壁部１３に低周波の噴出液圧刺激を与えることができるので、肩部及び背中部等のツボに対応して配設すれば、低周波のマッサージ効果を与えることができる。一方、第２噴出ノズル８ｂの小円盤部３６は、液体から受ける抵抗が少ないため、第１噴出ノズル８ａに比べて（高い回転数で）回転することができ、マットレス７の上壁部１３に高周波の噴出液圧刺激を与えることができるので、高周波のマッサージ効果を与えると気持ちのよい患部（ツボ部）に対応して配設することができる。また、第１噴出ノズル８ａ，第２噴出ノズル８ｂとも、鉛直軸心４５と噴出孔２３の距離Ｒ，傾斜角度α，ノズル高さＨ８  を変えることにより、様々な大きさの刺激圧を与えることが可能である。具体的には、距離Ｒを小さく設定したり、または、傾斜角度αを小さく設定するほど、ノズルの回転数が速くなり、高周波の螺旋状の刺激流が得られる。第２噴出ノズル８ｂに於ては、羽根４３のサイズを変えることにより、種々の噴出液圧の強さ及び周波数を得られる。
【００２８】
このように、第１噴出ノズル８ａ，第２噴出ノズル８ｂとも簡易な構造でありながら、低周波，高周波のマッサージ効果を与えることができる。また、首部にも対応して噴出ノズル８が備えられているので、首部のツボにもマッサージ効果を与えることができる。さらに、各噴出ノズル８毎の切換弁２６のＯＮ−ＯＦＦ操作によって、マッサージしたい部位のみをマッサージすることが容易にできる。
【００２９】
また、マットレス７の内部高さＨ７  は  １００ｍｍ乃至  １５０ｍｍに設定するのが好ましい、Ｈ７  が  １５０ｍｍよりも大きいと、マットレス７の上壁部１３に当たる（噴出ノズル８からの）噴出液圧の圧力損失が大きくなるので、効率よくマッサージ効果を与えにくく、高性能の循環ポンプ１０が必要となってしまい、かつ、ウォータベッド５が大きくなってしまう。さらに、Ｈ７  が  １００ｍｍよりも小さいと、各噴出ノズル８の上部にマットレス７の上壁部１３と接触する虞れがある。
【００３０】
マットレス７の上壁部１３の厚さｔ７  を  ０．１ｍｍ乃至  １．２ｍｍに設定するのが好ましい。ｔ７  が  １．２ｍｍよりも大きいと、上壁部１３に当たる噴出液圧のエネルギ伝達が大きく損なわれてしまい、患者４の身体の各ツボ部には、効率よくマッサージ刺激を与えられない。さらに、ｔ７  が  ０．１ｍｍよりも小さいと、マットレス７の耐久性が低くなり、すぐ破れる虞れがある。また、マットレス７内の液体は、温度調節器１９により温度調節されるので、患者４は、常時適温のマットレス７上でマッサージ効果を受けることができる。
【００３１】
【発明の効果】
本発明は、上述の構成により次のような著大な効果を奏する。
（請求項１によれば、）患者は、ウォータベッドのマットレス７上に横たわるだけでマッサージ効果を受けることができる。そして、マットレス７は、患者を全身にわたって支持する一体物なので、液体を循環させる循環ポンプ１０は、１台設置されるだけでよく、さらに、この１台の循環ポンプ１０から全ての噴出ノズル８に液体Ｌを直接供給することができるので、循環ポンプ１０や配管を配設する中空室を小さくでき、ウォータベッドの容積をコンパクト化できる。
【００３２】
（請求項２によれば、）噴出ノズル８は、噴出液圧及び回転数が相違する２種類以上あるので、身体の各患部（ツボ部）に最適なマッサージ効果を与えることができる。
【００３３】
（請求項３によれば、）第１噴出ノズル８ａのノズルヘッド３９は、回転すると液体の抵抗を大きく受ける横杆状で、低い回転数で回転させることができ、マットレス７の上壁部１３に低周波の螺旋状の噴出液圧刺激を与えることができるので、肩部及び背中部等のツボに対応して配設すれば、低周波のマッサージ効果を与えることができる。一方、第２噴出ノズル８ｂの小円盤部３６は、液体から受ける抵抗が少ないため、第１噴出ノズル８ａに比べて高い回転数で回転することができ、マットレス７の上壁部１３に高周波の螺旋状の噴出液圧刺激を与えることができるので、高周波のマッサージ効果を与えると気持ちのよい患部（ツボ部）に対応して配設できる。また、第１噴出ノズル８ａ，第２噴出ノズル８ｂとも、鉛直軸心４５と噴出孔２３の距離，傾斜角度の組み合わせにより、種々の噴出液圧の強さ及び周波数を得られるので、患者に合わせて様々に噴出ノズル８を変えて配設することで、多くの患者に最適なマッサージを与えることができる。また、第２噴出ノズル８ｂに於ては、羽根４３のサイズを変えることにより、種々の噴出液圧の強さ及び周波数を与えられる。このように、第１噴出ノズル８ａ，第２噴出ノズル８ｂとも簡易な構造でありながら、低周波，高周波のマッサージ効果を与えることができる。
【００３４】
（請求項４によれば、）循環ポンプ１０と全ての噴出ノズル８とが直結しており、夫々の噴出ノズル８に、個別にＯＮ−ＯＦＦ切換する切換弁２６が付設されているので、患部に必要な部位のみを選択して、集中的にマッサージ効果を効率よく与えることができる。
【００３５】
（請求項５によれば、）肩部及び背中部等のツボに低周波のマッサージ刺激を与え、最適のマッサージ効果を与えることができる。
【００３６】
（請求項６によれば、）患者の体重心部に近い臀部付近に位置するマットレス７の上壁部１３上には、縦方向に伸縮しないネット状シーツ３が敷設されているので、マットレス７は、上半身部と下半身部とが一体物にも係わらず沈み込まず、内部高さが略均一に保たれ、患者は、全身にわたって均等に、かつ効率よくマッサージを得ることができる。さらに、マットレス７の上壁部１３の厚さｔ７  を  ０．１ｍｍ乃至  １．２ｍｍに設定すると、上壁部１３に当たる噴出液圧のエネルギ伝達がほとんど損なわれないので、患者４の身体の各ツボ部には、効率よくマッサージ刺激を与えられる。
【００３７】
（請求項７によれば、）マットレス７の上壁部１３に当たる（噴出ノズル８からの）噴出液圧の圧力損失が少ないので、効率よくマッサージ効果を与えられ、高性能の循環ポンプ１０を使用する必要がない。
【００３８】
（請求項８によれば、）患者は、首のツボ部も刺激されるので、一層気持ち良く首部にマッサージ効果を与える。
【００３９】
（請求項９によれば、）１台の循環ポンプ１０から全ての噴出ノズル８に液体Ｌを供給することができるので、循環ポンプ１０や配管を配設する中空室を小さくでき、ウォータベッドの大きさ（高さ）を抑えることができる。。
【図面の簡単な説明】
【図１】本発明の実施の一形態を示す断面側面図である。
【図２】図１のＡ−Ａ断面矢視図である。
【図３】図１のＢ−Ｂ断面矢視図である。
【図４】要部拡大断面側面図である。
【図５】温度調節器と循環ポンプの接続を示す簡略側面図である。
【図６】噴出ノズルと患者の配置関係を示す説明用の平面図である。
【図７】第１噴出ノズルの平面図である。
【図８】一部断面背面図である。
【図９】図８のＣ−Ｃ断面図である。
【図１０】第２噴出ノズルの平面図である。
【図１１】一部断面正面図である。
【図１２】一部断面側面図である。
【符号の説明】
３    ネット状シーツ
７    マットレス
８    噴出ノズル
８ａ  第１噴出ノズル
８ｂ  第２噴出ノズル
１０        循環ポンプ
１３        上壁部
１４        下壁部
２６        切換弁
３６        小円盤部
３９        ノズルヘッド
４３        羽根
４５        鉛直軸心
Ｈ７    内部高さ
Ｌ    液体
ｔ７    厚さ
【図１】
2004290613.tif 000003
【図２】
2004290613.tif 000004
【図３】
2004290613.tif 000005
【図４】
2004290613.tif 000006
【図５】
2004290613.tif 000007
【図６】
2004290613.tif 000008
【図７】
2004290613.tif 000009
【図８】
2004290613.tif 000010
【図９】
2004290613.tif 000011
【図１０】
2004290613.tif 000012
【図１１】
2004290613.tif 000013
【図１２】
2004290613.tif 000014